(57)【要約】      （修正有）【課題】水の膜がつくれるフィルターを用いて気化熱効果を高めた涼風を強化送風できると共に、ワンタッチの切り替えで温風の送風もでき、オールシーズンの使用を可能とする涼温送風機を提供する。【解決手段】涼風と温風とを電動で切り替え自在に送風できる涼温送風機であって、前記涼温送風機の内部には送風力を高めた送風装置５００を設け、その送風装置５００を用いて涼風効果を高めた送風を可能とする涼風手段６００と、ワンタッチで温風に切り替え送風を可能とする温風手段７００とを設け、涼風または温風を素早く送風する。【選択図】図２
0003182905.tif 000002
【実用新案登録請求の範囲】
【請求項１】
涼風と温風とを電動で切り替え自在に送風できる涼温送風機であって、前記涼温送風機の内部には送風力を高めた送風装置を設け、その送風装置を用いて涼風効果を高めた送風を可能とする涼風手段と、ワンタッチで温風に切り替え送風を可能とする温風手段とを設け、涼風または温風を素早く送風することを特徴とする涼温送風機。
【請求項２】
涼風手段は、涼温送風機本体の背部に平面が連続した波立涌形状となるハニカムウォーターフィルター部を設けて構成されることを特徴とする請求項１に記載の涼温送風機。
【請求項３】
温風手段は、前記送風装置の送風口に近接して上下作動する回動ヒーター部で構成されることを特徴とする請求項１または２に記載の涼温送風機。
【請求項４】
温風手段は、前記涼風装置の送風口に近接して左右作動する回動ヒーター部で構成されることを特徴とする請求項３に記載の涼温送風機。
【考案の詳細な説明】
【技術分野】
【０００１】  本考案は涼温送風機に関する。
【背景技術】
【０００２】  従来の送風機には、涼しい風を送る冷風扇があったが、涼しい風を作るフィルター部分が、布または不織布等に冷たい水を流水することで気化熱を発生させて送風ものがあった。
一方、特開平１１−５１６号公報には、上下のローラを凹形に形成し、吸水フィルターの素材を非常に通気性、吸水性の良いやわらかい不織布にミシン目で細かく分割し、その分割した内部に、通常の水の気化熱より低温効果を有する細かく切断した炭を収納すると共に、両端部の周縁に非伸縮性のテープを取付け、該テープに吸水フィルターの回転力がかかるように構成した冷風扇用吸水フィルターが提供されている（特許文献１）。
【特許文献１】  特開平１１−５１６号公報
【考案の概要】
【考案が解決しようとする課題】
【０００３】  上記特許文献１に示す冷風扇用吸水フィルターは、吸水フィルターの素材が通気性、吸水性の良いやわらかい不織布にミシン目で細かく分割し、その不織布に細かく切断した炭を付けた吸水フィルターを構成しても、吸水フィルターの材質による吸水力や回転における布の伸びなどがあり、気化熱を高め冷風を送風し難いことや、これまでの冷風扇は、冷風機能だけで夏季の利用しか出来なく、冬季には使用出来ない冷風扇に問題があった。【０００４】  そこで本考案は上記のような従来技術の問題を解消し、本考案は、水の膜がつくれるフィルターを用いて気化熱効果を高めた涼風を強化送風できると共に、ワンタッチの切り替えで温風の送風もでき、オールシーズンの使用を可能とする涼温送風機の提供を課題とする。
【課題を解決するための手段】
【０００５】  上記課題を達成するため本考案の涼温送風機は、涼風と温風とを電動で切り替え自在に送風できる涼温送風機であって、前記涼温送風機の内部には送風力を高めた送風装置を設け、その送風装置を用いて涼風効果を高めた送風を可能とする涼風手段と、ワンタッチで温風に切り替え送風を可能とする温風手段とを設け、涼風または温風を素早く送風することを第１の特徴としている。
また本考案の涼温送風機は、上記第１の特徴に加えて、涼風手段は、涼温送風機本体の背部に平面が連続した波立涌形状となるハニカムウォーターフィルター部を設けて構成したことを第２の特徴としている。
また本考案の涼温送風機は、上記第１または２の特徴に加えて、温風手段は、前記送風装置の送風口に近接して上下作動する回動ヒーター部を設けて構成したことを第３の特徴としている。
そして本考案の涼温送風機は、上記第３の特徴に加えて、温風手段は、前記涼風装置の送風口に近接して左右作動する回動ヒーター部を設けて構成したことを第４の特徴としている。
【考案の効果】
【０００６】  請求項１に記載の涼温送風機によれば、涼風と温風とを電動で切り替え自在に送風できる涼温送風機であって、
前記涼温送風機の内部には送風力を高めた送風装置を設け、その送風装置を用いて涼風効果を高めた送風を可能とする涼風手段と、ワンタッチで温風に切り替え送風を可能とする温風手段とを設け、涼風または温風を素早く送風するように構成している。
これにより１台で夏は涼風を、冬は温風にとオールシーズン室内を快適なコンデションに保つことが出来ると共に、設置スペースが１台分で済むので、室内の空間が広く利用することができる。【０００７】  また請求項２に記載の涼温送風機によれば、請求項１に記載の構成による作用効に加えて、涼風手段は、涼温送風機本体の背部に平面が連続した波立涌形状となるハニカムウォーターフィルター部を設けて構成したので、これにより上部から水を適時に供給することで、ハニカムウォーターフィルター部の模様形状の全体に水の膜が形成されるようになり、その水の膜によって気化熱を増加発生させることができ、送風装置で涼しい風を送風することができる。【０００８】  また請求項３に記載の涼温送風機によれば、請求項１または２に記載の構成による作用効に加えて、温風手段は、前記送風装置の送風口に近接して上下作動する回動ヒーター部を設けて構成したので、これにより電動操作により回動ヒーター部を送風口の前部位置に回動させて停止させ、回動ヒーター部に通電発熱させることで、送風口から吹き出す風を回動ヒーター部に通風させることで温かい風を送風することができ、涼風と温風とを送風することができる。【０００９】  そして請求項４に記載の涼温送風機によれば、請求項３に記載の構成による作用効に加えて、温風手段は、前記涼風装置の送風口に近接して左右作動する回動ヒーター部を設けて構成したので、これによってスリムな縦型送風機にも取り付けられ、涼風と温風とを送風することができる。
【図面の簡単な説明】
【００１０】
【図１】  本考案の実施形態に係る涼温送風機を示す斜視図である。
【図２】  本考案の実施形態に係る涼温送風機の要部を示す右側面からの透視図である。
【図３】  本考案の送風装置である送風ファン構成体を示す斜視図である。
【図４】  本考案の送風装置である送風ファン構成体を示す背面図である。
【図５】  本考案の涼風手段であるハニカムウォーターフィルターの構成を示す斜視図である。
【図６】  本考案の涼風手段であるハニカムウォーターフィルターの表面形状を示す拡大斜視図である。
【図７】  本考案の温風手段である回動ヒーター部が送風装置に上下方向に作動するよう取り付けられ、涼風送風時の位置を示す右側面の透視図である。
【図８】  本考案の温風手段である回動ヒーター部が送風装置に上下方向に作動するよう取り付けられ、温風送風時の位置を示す右側面の透視図である。
【図９】  本考案の第二温風手段である回動ヒーター部が縦型送風機の送風口に近接して取り付けられ、涼風送風時の状態を示す右側面の透視図である。
【図１０】  本考案の第二温風手段である回動ヒーター部が縦型送風機の送風口に近接して取り付けられ、温風送風時の状態を示す右側面の透視図である。
【考案を実施するための形態】
【００１１】  図１を参照して、本発明の涼温送風機本体１０は、天板部１００と、前枠部２００と、側背枠部３００と、水槽部４００からなり、
天板部１００は、四辺形に形成され、本体１０の最上部に蓋のように覆って取り付けられる。
前枠部２００は、四辺形で形成され、本体１０の上方前部の枠板が形成され、前記側背枠部３００と連結して一体形成される。
側背枠部３００は、平面が逆Ｕ字形となる枠板に形成している。
水槽部４００は、正方体に形成され、前枠部２００と側背枠部３００とで一体形成した下部に接続形成される。
【００１２】  図２も参照して、操作スイッチ盤１１０は、四辺形の前記天板部１００上に形成され、その盤の一方に複数のスイッチ１１１を形成している。これにより一ヶ所において各部を電動させる操作を可能にしている。
また操作スイッチ盤１１０には、リモコン受信装置が設けられ、リモコン機１２０における遠隔無線操作を可能にしている。
【００１３】  吹出口２０１は、正方形状に形成され、その内側に風の方向を自由に変えられるルーバー部２１０が取り付けられている。
【００１４】  図２を参照して、ルーバー部２１０は、横向き羽板２１１と、縦向き羽板２１２と、該縦向き羽板２１２を動かせるルーバー電動装置２２１とを設けて構成している。これにより前記操作スイッチ盤１１０のスイッチ１１１操作によって、吹き出される風を上下および左右方向に自由に送風することができる。
【００１５】  横向き羽板２１１は、細長い板を、隙間をあけて平行に組んで構成され、その横向き羽板２１１を手動で上下方向に動かせることで、横向き羽板２１１が向いた方向に風を送ることができる。
【００１６】  縦向き羽板２１２は、細長い板を、隙間をあけて縦列に組んで構成され、前記操作スイッチ盤１１０のスイッチ１１１を押すことで、ルーバー電動装置２１３が作動して左右方向に動かせることができ、縦向き羽板２１２が向いた方向に風を送ることができる。
【００１７】  側背枠部３００は、その両側面に本体１０を持ち上げる際に利用する取っ手３０１を取り付け、内部に送風ファン構成体５１０を設け、背面にハニカムウォーターフィルター６００を設けて構成している。
【００１８】  水槽部４００は、その外部側面に内部の水量がわかる水量窓４０１と、内部に挿着した給水管４１０とを形成して構成され、上部に設けた後述のハニカムウォーターフィルター６１０の点滴給水孔６２０に電動で給水するようにしている。
【００１９】  図３、図４を参照して、送風装置５００は、涼風と温風との両用を可能とする送風ファン構成体５１０を形成して構成される。
【００２０】  送風ファン構成体５１０は、内部に円筒状のファンであるラインフローファン５１１と、モーター５１２と、後述の回動ヒーター部７１０を取り付けて構成している。
送風ファン構成体５１０は、前方上部に送風口５１３が形成され、その送風口５１３にネットカバー５１４を取り付け、内部上方で前記送風口５１４近接した位置に前記上下回動ヒーター部７００を取り付けている。
これによりラインフローファン５１１で強力な風をつくり送風できると共に、上下回動ヒーター部７００への切り替えによって温風も送風できるように構成している。
【００２１】  図５、図６を参照して、涼風手段６００のハニカムウォーターフィルター６１０は、波立涌形状６１１に形成され、点滴給水孔６２０と、防塵フィルター６３０とで構成され、その材質として吸水性繊維練り込み合成紙を用いている。
ハニカムウォーターフィルター６１０は、吸水性繊維練り込み合成紙を用いたことで、吸水性が良く、水に強い合成紙を用い連続した波立涌形状６１１で形成されている。
波立涌形状６１１は、連続した波状で形成されているので、上部からの給水でフィルター全体に水が浸透し易く、それによってフィルター表面で薄い水の膜を張り易くなり、気化熱の効率を高め、前記送風ファン構成体５１０に通送風することで涼しい風を送ることができる。
【００２２】  点滴給水孔６２０は、前記水槽部４００から給水管４１０によって汲み上げた水を、先端を細い孔に形成し、適宜の水量を供給する点滴給水を可能にし、ハニカムウォーターフィルター６１０の表面に薄い水の膜を張り易く構成している。
これによりハニカムウォーターフィルター６１０の表面に薄い水の膜を張り易く、高い気化熱効果を得ることができる。
【００２３】  防塵フィルター６３０は、ハニカムウォーターフィルター６１０の表面を覆うネットであり、装着してフィルター表面に塵やゴミが付かないようカバーして綺麗な空気を通気させることができる。
【００２４】  図７、図８を参照して、温風手段７００の回動ヒーター部７１０は、上下連動カム７１１と、ヒーター回動モーター７２０とで構成され、前記送風ファン構成体５１０の送風口５１３に近接した上部に取り付けられ
ている。
回動ヒーター部７１０は、その使用するヒーターとしてＰＴＣセラミックヒーターを用いている。それによって自己温度制御機能を持つヒーターとして速暖性に優れ、安全に少電力で効率を得ることができる。
回動ヒーター部７１０は、前記送風ファン構成体５１０の送風口３１１に近接した上部に、一辺を取り付けて回動できるようにし、その回動ヒーター部７１０の一側に取り付けた上下連動カム７１１と、ヒーター回動モーター７２０とを係合させて上下に回動できるようにしている。
これにより前記操作スイッチ盤１１０のスイッチ１１１を押す又は、リモコン機１２０ことで、前記送風口５１３の前部に回動ヒーター部７１０を下げることができ、温かい風を送風することができる。
【００２５】  図９、図１０を参照して、また回動ヒーター部７１０は、縦型送風機８００などの縦型の送風機においても、回動ヒーター部７１０を縦向きにして左右連動カム７１２を取り付け、下部にヒーター回動モーター７２０を取り付けることで、左右方向の回動が可能となりスリムな縦型の送風機でも取り付けることができる。
これによりスリムな縦型の送風機でも涼温風両用が可能になる。
【符号の説明】
【００２６】  １０    本体
１１    キャスター
１００    天板部
１１０    操作スイッチ盤
１１１    スイッチ
１２０    リモコン機
２００    前枠部
２０１    吹出口
２１０    ルーバー部
２１１    横向き羽板
２１２    縦向き羽板
２１３    ルーバー電動装置
３００    側背枠部
３０１    取っ手
４００    水槽部
４０１    水量窓
４１０    給水管
５００    送風装置
５１０    送風ファン構成体
５１１    ラインフローファン
５１２    モーター
５１３    送風口
５１４    ネットカバー
６００    涼風手段
６１０    ハニカムウォーターフィルター
６１１    波立涌形状
６２０    点滴給水孔
６３０    防塵フィルター
７００    温風手段
７１０    回動ヒーター部
７１１    上下制動カム
７１２    左右制動カム
７２０    ヒーター回動モーター
８００    縦型送風機
８１０    送風ファン
８１１    送風口
８１２    送風向カバー
Ｂ      涼風送風位置
Ｗ      温風送風位置
【図１】
0003182905.tif 000003
【図２】
0003182905.tif 000004
【図３】
0003182905.tif 000005
【図４】
0003182905.tif 000006
【図５】
0003182905.tif 000007
【図６】
0003182905.tif 000008
【図７】
0003182905.tif 000009
【図８】
0003182905.tif 000010
【図９】
0003182905.tif 000011
【図１０】
0003182905.tif 000012